(57)【要約】【課題】  枠と見返しとによりガラスを保持するタイプの時計であってガラスを正確な向きで取付け易い時計を提供すること【解決手段】  時計１では、枠５０と見返し２０とによりガラス４０を保持する。また、時計１では、見返し２０の外周壁部２２に形成した被係合部３５に枠５０の外周壁部５３の内周面側に形成した係合部５５を係合させるようにしている。見返し２０が背面側にボス部３０を備え、該ボス部３０に挿通される締結部材６０により本体部１１に取付けられる。ボス部３０の外周面が見返し２０の外周壁部２２の内周面と直接つながっており、ボス部３０の前面側の端面２３ａがガラス４０の対向面４２に当接する。被係合部３５が見返しの周方向に間隔をおいて形成された凹部３５からなり、枠５０の係合部５５が該凹部に係合されるべく内向きに突出した爪部５５からなる。凹部は、底部のない孔でも有底凹部でもよい。【選択図】図２
2005180990.tif 000002
【特許請求の範囲】
【請求項１】
枠と見返しとによりガラスを保持する時計であって、前記見返しの外周壁部に形成した被係合部に前記枠の外周壁部の内周面側に形成した係合部を係合させるようにした時計。
【請求項２】
前記見返しが、背面側にボス部を備え、該ボス部に締結される締結部材により本体部に取付けられる請求項１に記載の時計。
【請求項３】
前記ボス部の外周面が前記見返しの前記外周壁部の内周面と直接つながっており、前記ボス部の前面側の端面が前記ガラスの対向面に当接する請求項２に記載の時計。
【請求項４】
前記被係合部が前記見返しの周方向に間隔をおいて形成された凹部からなり、前記枠の前記係合部が該凹部に係合されるべく内向きに突出した爪部からなる請求項１から３までのいずれか一つの項に記載の時計。
【発明の詳細な説明】
【技術分野】
【０００１】
本発明は、時計に係り、より詳しくは、掛時計の如きクロックに係る。
【背景技術】
【０００２】
掛時計などにおいて、枠と見返しとによりガラスを保持することは、知られている。この種の従来の時計１００においては、図７に示したように、ムーブメント１０３を収容・保持する後枠１０２が機械取付板１０１の背面側に取付けられ、該機械取付板１０１の前面側では文字板１０４上に載置した見返し１０５の頂部ないし突出端部１０６と樹脂製の枠１０７の内縁部１０８との間に時計ガラス１０９が配設・保持される。文字板１０４とガラス１０９との間において、見返し１０５によって形成されたスペースには、時針１１０，分針１１１及び秒針１１２の如き時刻表示針が位置する。
【０００３】
より詳しくは、枠１０７には、周方向に間隔をおいて、雌ネジ部１１３を備えたボス部１１４が外周壁部１１５の内側に形成されている。機械取付板１０１のネジ孔１１６に挿通されたネジ１１７が枠１０７のボス部１１４の雌ネジ部１１３に螺着されることにより、枠１０７が機械取付板１０１に固定される。
【０００４】
この種の従来の時計１００を組立てる際には、前面が上向きになるように機械取付板１０１を配置した状態で、該機械取付板１０１の前面の所定位置に文字板１０４を載置し且つ時刻表示針１１０，１１１，１１２を関連する軸部に取付けた後、文字板１０４上に見返し１０５を載置すると共に該見返し１０５の突出端部１０６にガラス１０９を載せ更に該ガラス１０９の外周縁部１１８上に内縁部１０８が重なるように枠１０７を載せる。次に、この載置積層状態を保ったまま全体を裏返し、ネジ孔１１６にネジ１１７を挿入してボス部１１４の雌ネジ部１１３にネジ止めする。
【０００５】
しかしながら、この種の従来の時計１００では、上述のように、組立の際に、見返し１０５とガラス１０９と枠１０７とを重ねた状態で全体を裏返し、ネジ孔１１６とボス部１１４の雌ネジ部１１３とを合わせてネジ止めする必要があることから、ガラス１０９に印刷や模様等がある場合には、印刷や模様の上下方向が枠１０７や文字板１０４の上下方向とうまく一致しない虞れがある。
【０００６】
また、図８に示したように、ボス部１１４と枠１０７の外周壁部１１５との間には、ヒケの発生を避けるための隙間Ｇ１が設けられる必要があり、また、ボス部１１４と見返し１０５との間にも、ガラス１０９を押える枠１０７の前縁部１０８に適度な弾性変形可能性を与えるべく隙間Ｇ２が設けられる。すなわち、従来のこの種の時計１００では、隙間Ｇ１，Ｇ２の幅ＷＰ１，ＷＰ２を要することから、見返し１０５の突出端部１０６と協働してガラス板１０９の外周縁部１１８を挟持する枠１０７の内周縁部１０８と枠１０７の外周壁部１１５との間の幅ＤＰが大きくなり、見返し１０５の内縁と枠１０７の外周壁部１１５との幅ＷＰが大きくなるのを避け難い。
【０００７】
なお、図７に示した時計１００では見返し１０５と後枠１０２とが別体でありガラス１０９が前に凸に湾曲しているけれども、その代わりに見返しと後枠とが一体化されたりガラスが平面状であったりしても、上記の事情はほとんど同様である（例えば、特許文献１）。
【０００８】
また、枠の幅を狭くすることを目的として、枠の外周壁部の後端部に係止部を形成しておくと共に該枠を嵌めた状態で該枠の係止部に係止される立ち曲げ部を先端に備えた取付け板をネジで後枠に取付けることも、提案されている（特許文献２）。
【０００９】
しかしながら、特許文献２に開示の技術の場合にも、見返しとの間にガラス（透明カバー）を挟むように枠（ガラス縁）を嵌めた状態でその全体を裏返し、立ち曲げ部が枠の係止部に係合されるように取付け板をネジ止めすることによって枠を固定することから、ガラス等の上下方向が文字板や枠等の上下方向からズレる虞れがある。
【特許文献１】特開平７−７２２６７号公報（図１及び関連説明部分）
【特許文献２】実開平５−２５３８９号公報
【発明の開示】
【発明が解決しようとする課題】
【００１０】
本発明は，前記諸点に鑑みなされたものであって、その目的とするところは、枠と見返しとによりガラスを保持するタイプの時計であってガラスを正確な向きで取付け易い時計を提供することにある。
【００１１】
本発明の別の目的は、枠の縁を狭くし得る時計を提供することにある。
【課題を解決するための手段】
【００１２】
本発明の時計は、前記目的を達成すべく、枠と見返しとによりガラスを保持する時計であって、前記見返しの外周壁部に形成した被係合部に前記枠の外周壁部の内周面側に形成した係合部を係合させるようにしている。
【００１３】
本発明の時計では、「見返しの外周壁部に形成した被係合部に枠の外周壁部の内周面側に形成した係合部を係合させる」ので、枠を前面側から見返しに嵌合し前面側から押込むことによって、枠の該周壁部の内周面側に形成した係合部を見返しの外周壁部に形成した被係合部に係合させ得る。従って、本発明の時計では、該ガラスを所定の向きで載置した状態を維持したまま枠を見返しに係合固定し得るから、例えば、枠と見返しとにより保持されるべきガラスに上下の向きがある模様などがあっても、ガラスの向きがズレる虞れが少ない。
【００１４】
また、本発明の時計では、「見返しの外周壁部に形成した被係合部に枠の外周壁部の内周面側に形成した係合部を係合させる」ので、見返しの外周壁部の外周面が枠の外周壁部によって隠され得る。従って、仮に見返しの構造上の制約が最低限に抑えられ得、見返しの幅を最小限にすると共に枠の幅を最小限に抑えることが可能になる。
【００１５】
なお、本発明の時計において、枠の係合部は該枠の外周壁部よりも内周側に位置する見返しの外周壁部の被係合部に係合されるように枠の外周壁部の内周面側係合される限り、係合部が枠の外周壁部の内周面から直接的に内向きに突出している代わりに、例えば、枠の外周壁部の軸線方向端部から軸線方向に延在した後、該延在端から半径方向内向きに延在していてもよい。
【００１６】
本発明の時計において、枠の平面形状（前面側から見た形状）は、典型的には、円形や楕円形であるけれども、その代わりに、八角形や六角形の如き多角形や四角形などでもよく、後者の場合、角部が丸くなっていても尖っていてもよい。ガラスや見返しは、典型的には、枠と同様な（典型的には相似な）平面形状を有する。但し、場合によっては、枠の平面形状とガラスや見返しの平面形状とが異なっていてもよい。
【００１７】
本発明の時計において、見返しは、ガラスと文字板との間に、時針や分針や秒針の如き時刻表示針を収容し該時刻表示針の動作を許容する空間を形成するスペーサとして働く。
【００１８】
本発明の時計において、見返しは本体部と一体的に形成されていてもよいけれども、典型的には、前記見返しが、背面側にボス部を備え、該ボス部に締結される締結部材により本体部に取付けられる。
【００１９】
この場合、機械取付板の如き支持部を含む本体部に対して見返しを予め締結部材で固定しておいて、該見返しの前面の突出部上にガラスを載置し更に枠を見返しに係合することによって、枠の取付けが行われ得る。従って、組立作業が容易に行われ得る。
【００２０】
また、本発明の時計では、典型的には、前記ボス部の外周面が前記見返しの前記外周壁部の内周面と直接つながっており、前記ボス部の前面側の端面が前記ガラスの対向面に当接する。
【００２１】
この場合、「ボス部の外周面が見返しの外周壁部の内周面と直接つながって」いるから、ボス部の外周面と見返しの外周壁部の内周面との間に隙間を設ける場合と比較して見返しの幅を最小限に抑え得る。また、本発明の時計では、「ボス部の前面側の端面がガラスの対向面に当接する」ので、枠の幅を最小限に抑え得る。なお、見返しの内周面がボス部につながった部位において、見返しの外周壁部の外周面にヒケ（引け）が生じ易いけれども、前述のように、見返しの外周壁部の外周面が枠の外周壁部によって隠されるから、該ヒケが外部に露出する虞れが少ない。
【００２２】
なお、本発明の時計において、見返しの前記ボス部と前記被係合部とは、見返しの周方向に関して同じ位置にあっても、異なる位置にあってもよい。
【００２３】
また、本発明の時計では、典型的には、被係合部が見返しの外周に周方向に間隔をおいて形成された凹部からなり、枠の係合部が該凹部に係合されるべく内向きに突出した爪部からなる。この場合、枠と見返しとの係合が容易に行われ得る。爪部は、好ましくは、背面側に傾斜案内面を備え、前面側に係止面を備える。凹部は、爪部の進入を許容するスペースを与える窪みと爪部の前面側の係止面に当接して爪部を係止すべく軸線方向の前側において凹部の側壁を規定する係止面とを備えればよいので、底のない貫通孔でも有底凹部でもよい。凹部が有底凹部である場合、見返しの側に係止面を備えた爪部が形成され枠の爪部のところに係合凹部があるとみなしてもよい。
【発明を実施するための最良の形態】
【００２４】
本発明の好ましい実施の形態のいくつかを添付図面に示した好ましい実施例に基づいて説明する。
【実施例】
【００２５】
図１から図３に示した本発明による好ましい一実施例において、掛時計１は、図１からわかるように、厚さ方向の中央部において大きく拡がった円板状の機械取付板１１を備える。時計１の各種部品を支える本体部としての機械取付板１１は、例えば、ＭＤＦ等からなり、後述のネジ６０が挿入されるネジ孔１９を周方向に間隔をおいて有する。機械取付板１１の背面側には、後枠１２に収容されたムーブメント１３が取付けられている。時計１の本体部は、ムーブメント１３及びこれを支える後枠１２と機械取付板１１とからなる。機械取付板１１の前面側には文字板１４が配設され、ムーブメント１３から前方に突出した軸部のうち機械取付板１１及び文字板１４を貫通して前面側に突出した先端部には、中心軸線Ｃのまわりでまわる時針１５，分針１６及び秒針１７の如き時刻表示針が取付けられている。図２からわかるように、文字板１４は、文字板本体部１４ａと該本体部１４ａの前面側において該本体部１４ａの外周縁部１４ｂを除く領域を覆う塗装層１４ｃとを有する。塗装層１４ｃは、時刻表示用の目盛や文字とその背景とを含む。
【００２６】
文字板本体部１４ａ自体に時刻表示用の目盛や文字などがあってもよく、その場合、塗装層１４ｃはなくてもよい。文字板１４は、機械取付板１１よりも少し小さく、機械取付板１１の外周縁部１１ａは、文字板１４の全周において外周縁部１４ｄの外側に突出している。但し、後述のネジ６０によるネジ止めに関与しない周方向の一部の領域又は周方向に間隔をおいた一部の領域では、機械取付板１１の外周縁部１１ａが文字板１４の外周縁部１４ｄと重なる程度であってもよい。
【００２７】
文字板１４の外周縁部１４ｄ及び機械取付板１１の外周縁部１１ａには、樹脂製の環状の見返し２０が設けられている。見返し２０は、金属、セラミック又は木など他の材料でできていてもよい。見返し２０は、内側の短い脚部２１及び外側の長い脚部２２並びに該二つの脚部２１，２２を繋ぐ頂壁部２３を含むほぼ逆Ｕ字状（背面側を下に前面側を上にしてみた場合）の見返し本体部２５と、外周側脚部２２から延設された半径方向延在部２６及び最外周壁部２７とを有する。見返し２０のうち本体部２５は、文字板１４と後述のガラス４０との間に時刻表示針１５，１６，１７の動作領域ないし空間を確保するスペーサとして働く。
【００２８】
見返し本体部２５のうち内周側脚部２１は、その基端２１ａで文字板１４の外周縁部１４ａの前面側表面上に載置され、外周側脚部２２は、その基端２２ａで機械取付板１１の外周縁部１１ａの前面側表面上に載置されている。半径方向延在部２６は、図２の（ｂ）からわかるように、見返し本体部２５の外周側脚部２２の基端２２ａから機械取付板１１の外周縁部１１ａの前面側表面に沿ってその外周面１１ｂを超えて半径方向外向きに延びている。見返し２０の最外周壁部２７は、機械取付板１１の外周縁部１１ａの外周面１１ｂの外側において、半径方向延在部２６の延在端から背面側に向かって軸線方向（軸線Ｃの延在方向）に延びている。見返し本体部２５の頂壁部２３は、その前面ないし頂面２３ａで、ガラス４０の外縁部４１の下面４２を支える。図２の（ｂ）からわかるように、見返し本体部２５の頂壁部２３のうち外周側部分には、ガラス４０の収容領域の外縁を規定する円形ないし環状の低い突起部２８が形成され、該突起部２８の内周面２８ａ及び頂壁部２３の前面２３ａによって、ガラス４０の収容凹部が形成されている。なお、図２の（ａ）からわかるように、後述の係合孔部３５のある周方向部分では、当該部分の半径方向の変形を許容すべく、突起部２８が切欠かれている。後述の図示の例では、半径方向外側ほど後方に位置するようにガラス４０が湾曲していることから、壁部２３の前面２３ａも内側程前方に位置するように傾斜しているけれども、支えるべきガラス４０の外縁部４１の下面４２の形状に応じて他の形状であってもよい。
【００２９】
見返し２０の背面を示した図３からわかるように、見返し２０は、周方向に間隔をおいて、ボス部３０を見返し本体部２５に備える。図３に加えて図２の（ｂ）からわかるように、ボス部３０を構成する厚肉円筒状壁部３１は、その外周側部分３２が見返し本体部２５の外周側脚部２２と一体的になるように該外周側脚部２２に連続的につながっている。ボス部３０は、内周に雌ネジ部３３を備える。
【００３０】
見返し２０は、更に、外周側脚部２２の基端部２２ａ近傍に、周方向に間隔をおいて、被係合部としての（底のない）係合凹部すなわち係合孔部３５を有する。図２の（ａ）及び図３に示した例では、係合孔部３５は、外周側脚部２２に形成され係止面として働く側面３５ａ及び半径方向延在部２６に形成された凹部規定面３５ｂによって確定されている。後者はなくてもよい。図２の及び図３に示された例では、係合孔部３５は、ボス部３０とは異なる位置に形成されている。
【００３１】
前述のように、ガラス４０は、この例では、中央部が前方に向かって突出したドーム状の形状を有する。但し、平面状など他の形状でもよい。また、ガラス４０の平面（投影）形状は、この例では、円形であるけれども、楕円形状や四角形状又は多角形状の如き他の形状でもよい。円形以外の形状では、ガラス４０の上下方向の大まかな向きは決定されるけれども、厳密な向きまでは、ガラス自体の形状からは、必ずしも正確には確定され難いこと自体は円形の場合と同様である。
【００３２】
ガラス４０は、環状の樹脂製の枠ないし前枠５０によって、見返し２０に取付けられている。
【００３３】
図２の（ａ）からわかるように、枠５０は、ほぼ半径方向に延在した半径方向の長さ（幅）の小さい前側環状板状部５１と、該前側環状板状部５１の外側端部５２から軸線方向に延びた円筒状外周壁部５３と、該外周壁部５３の軸線方向後側端部５４のうち周方向に間隔をおいた複数箇所において半径方向内向きに突出した係合部としての係合爪部５５とを有する。係合爪部５５の周方向位置は、見返し２０の係合孔部３５の周方向位置に対応する。各係合爪部５５は、斜めに延びた傾斜案内面５６を背面側に備えると共にほぼ半径方向に延びた係止面５７を前面側に備える。なお、係合爪部５５は、外周壁部５３の端部５４の代わりに外周壁部５３の軸線方向の中間部に形成されていてもよい。
【００３４】
枠５０は、図１や図２に示した装着状態においては、枠５０の係合爪部５５が見返し２０の係合孔部３５に嵌込み、係合爪部５５の係止面５７が係合孔部３５の前面側の壁部の開口規定面３５ａに当接して係止され、前側環状板状部５１の内面５１ａと見返し２０の頂壁２３の外面２３ａとの間で、ガラス４０の環状外周縁部４１を挟持する。
【００３５】
この装着状態では、枠５０の円筒状外周壁部５３が見返し２０の外周側脚部２２の外側に沿って延在し、外周側脚部２２の外面２２ｂを覆い隠す。従って、図２の（ｂ）及び図３に示したように、ボス部３０の外周壁部３２が見返し２０の逆Ｕ字状本体部２５の外周側脚部２２と連続的につながってなる肉厚部３６があることにより、成形・固化の際の材料の収縮に起因するヒケが該肉厚部３６の外周面部３６ａに生じても、該ヒケのある外周面部３６ａが枠５０の円筒状周壁部５３によって隠され得るので、外観上の美観を損なう虞れがない。なお、この場合でも、見返し２０の内周側脚部２１とボス部３０の周壁部３１との間には、実質的に、隙間Ｇが形成されているので、ガラス４０の側から視認可能な見返し２０の内周側脚部２１の内周面２１ｂには、ヒケが生じる虞れは実際上ない。枠５０の端部の爪部５５はボス部３０と比較して、その半径方向及び軸線方向の長さが小さく爪部５５の体積が小さいので、該爪部５５が視認可能な程度のヒケを生起させる虞れは少ない。
【００３６】
以上の如き構成を有する時計１では、ガラス４０の外周縁部４１が見返し２０のボス部３０の端壁部をなす頂壁部２３によって支持され、且つボス部３０が見返し２０の外周側脚部２２と連続的に形成されて見返し２０の半径方向の幅が最低限に抑えられ得るので、ガラス４０の外周縁部４１が枠４０の外周壁部５３に極めて近接したところに位置し得る。従って、枠５０の前側の半径方向延在壁部５１の半径方向の幅Ｄ、換言すれば見返し２０から枠５０の外周までの幅Ｗが最小限に低減され得、狭幅の枠５０になり得る。その結果、表示領域が最大限に拡げられた狭幅枠５０の時計１になり得る。
【００３７】
すなわち、図７及び図８に示した従来の時計１００と比較した場合、時計１では、時計１００の場合に存在した隙間Ｇ１，Ｇ２（図８）が省かれ、且つ見返し１０５の外にあったボス部１１４が見返し２０の内部に位置することによりボス部の太さが吸収されているので、幅Ｄ及びＷの小さい時計１が形成され得る。
【００３８】
次に、以上の如く構成された時計１の組立てについて、説明する。
【００３９】
時計１の組立に際しては、後枠１２のうちムーブメント１３を収容した部分１２ａが機械取付板１１の孔部１１ｃに嵌合されるように後枠１２を機械取付板１１に装着した後、機械取付板１１の前面側を上に向けて載置し、文字板１４の中央孔部１４ｅがムーブメント１３の時刻表示針取付け軸部に遊嵌されるように機械取付板１１の前面側から文字板１４を組付け、中心軸線Ｃのまわりにおける文字板１４の向き（周方向回転位置）を調整しておいて、文字板１４の中央孔１４ｅ及び後枠１２の対応する中央孔部１２ｂに円筒状止め具１８を嵌着して文字板１４を固定する。
【００４０】
次に、文字板１４の外周縁部１４ｄに内周側脚部２１の端部２１ａが載ると共に機械取付板１１の外周縁部に外周側脚部２２の端部２２ａ及び半径方向延在壁部２６が載るように且つ最外周壁部２７が機械取付板１１の外周面１１ｂに遊嵌されるように、見返し２０を機械取付板１１及び文字板１４の外周に被せた状態で、全体を裏返し、止めネジ６０を機械取付板１１のネジ孔１９から挿入し見返し２０のボス部３０の雌ネジ部３３に螺着して、見返し２０を機械取付板１１に固定する。見返し２０に上下方向などの向きがある場合であっても、見返し２０は、そのボス部３０の雌ネジ部３３が機械取付板１１の孔１９に丁度一致する周方向回転位置で固定されるから、見返し２０は、機械取付板１１に対して正確な位置及び向きで取付けられ得る。
【００４１】
次に、全体を再度表向きに戻して、時刻表示針１５，１６，１７を軸部に装着すると共にその全体を所望の支持体上に載置し、見返し２０の頂壁部２３上に周縁部４１が載り且つ上下方向の向き（周方向回転位置）が文字板１４や見返し２０や機械取付板１１に対して正確に一致するように、ガラス４０を見返し２０上に載置する。なお、時刻表示針１５，１６，１７の取付けは、ガラス４０の載置前であれば、他の所望のタイミングで行ってもよい。
【００４２】
最後に、機械取付板１１に固定された見返し２０に対して枠５０を嵌込む。この嵌込みに際しては、枠５０の各係合爪５５の案内傾斜面５６が見返し２０の頂壁部２３と外周側脚部２２との角部２４に当接するように枠５０を見返し２０の上に載せておいて、枠５０を見返し２０に向かってＡ方向に押す。これにより、枠５０の係合爪５５が傾斜案内面５６で見返し２０の角部２４により半径方向外向きに押し拡げられるように枠５０の軸線方向延在円筒状部５３がＢ方向に湾曲されて係合爪部５５が見返し２０の外側脚部２２の外周面に沿って見返し２０の被係合孔部３５のところに達し、円筒状部５３の弾性力により該被係合孔部３５に係合爪部５５が嵌り込む。枠５０の係合爪部５５が見返し２０の被係合凹部３５に一旦嵌り込むと、枠５０の係合爪部５５の係止面５７が見返し２０の被係合凹部３５の係止面３５ａに当接するので、係合爪部５５が被係合凹部３５から外れる虞れがない。従って、枠５０は、半径方向延在環状部５１でガラス４０の外周縁部４１を見返し２０の頂壁部２３に押付けガラス４０を両者の間で保持した状態で、見返し２０に固定され得る。
【００４３】
なお、上記の係合操作は、ガラス４０を前面側から眺めながら且つガラス４０の載置状態を変えることなく行われ得るので、ガラス４０の向き（周方向回転位置）が本来の向きからズレる虞れが少ない。従って、ガラス４０に模様などがある場合には、その模様が所望の向きになるように、ガラス４０が確実に装着・固定され得る。
【００４４】
以上において、枠５０は、ガラス４０の外周縁部４１を押え保持し得る前側の半径方向延在環状部５１を備えると共に係合爪部５５を支持する外側筒状部５３を備える限り、その断面形状は、図示のものとは異なっていてもよく、例えば、図７や図８に示した枠部１１５の外表面と同様な又はこれに似た外表面形状を有していてもよい。また、ここでは、正面（前面）から見た形状が円形である例について説明したことから、外側筒状部５３が円筒状であるけれども、正面形状が、楕円形や多角形など他の形状である場合には、筒状部５３は、当然ながら、楕円筒状や多角筒状であり得る。見返し２０についても同様である。
【００４５】
また、ここでは、見返し２０の本体部が逆Ｕ字である例について説明したけれども、見返し２０は、内周側壁部２１と外周側壁部２２とを備える限り、その中間に別の壁部などがあってもよい。
【００４６】
以上においては、被係合部が孔部からなる例について説明したけれども、係合部が爪部からなる場合、被係合部は、係合孔部３５の代わりに図４の（ａ）及び図５の（ａ）に示したような有底係合凹部３７であってもよい。図４の（ａ）並びに図５の（ａ）及び（ｂ）の変形例において、図１〜図３の例と実際上同様な部材や部位や要素には同一の符号が付され、変更箇所のある部材や部位や要素には対応するものの符号の後に添字Ａが付されている。
【００４７】
有底凹部３７は、係止面となる前面側の側面３７ａを備える点は図１〜図３の係合孔部３５と同様である。但し、有底凹部３７は係合孔部３５と異なり底面３７ｂを備えることから、係合爪部５５の突出長が若干短いか、突出長を同程度にし得るように見返し２０Ａの本体部２５Ａの外周側脚部２２Ａの肉厚が若干大きい点を除き、図４の（ａ）に一部を示した時計１Ａは、図１〜図３の時計１と同様に構成されている。なお、図５の（ｂ）からわかるように、この時計１Ａの場合、半径方向延在脚部２６Ａには孔がないけれども、所望ならば、有底凹部３７につながる孔が半径方向延在脚部２６Ａに形成されていてもよい。このような有底凹部３７の場合、係止面となる側面３７ａを備えた爪部とみなしてもよい。
【００４８】
なお、図１〜図３に示した時計１においても、半径方向延在脚部２６には、孔がなくてもよい。
【００４９】
図４の（ａ）並びに図５の（ａ）及び（ｂ）に示した時計１Ａは、当然ながら、図１〜図３に示した時計１と同様なメリットを備え得る。
【００５０】
見返しの被係合部は、周方向に関してボス部のないところに形成される代わりに、図４の（ｂ）、図５の（ｃ）及び（ｄ）、並びに図６に示したように、ボス部のあるところに形成されてもよい。これらの図に示した時計１Ｂにおいて、図１〜図３の例と実際上同様な部材や部位や要素には同一の符号が付され、変更箇所のある部材や部位や要素には対応するものの符号の後に添字Ｂが付されている。
【００５１】
この時計１Ｂでは、図４の（ｂ）並びに図５の（ｃ）及び（ｄ）に加えて図６からわかるように、被係合部としての有底係合凹部３８がボス部３０Ｂのある周方向位置において、見返し本体部２５Ｂの外周側脚部２２Ｂのうちボス部３０Ｂの外周壁部３２Ｂと重なる部位に形成されている。この例では、有底凹部３８のところに該凹部３８につながる孔部３９が半径方向延在壁部２６Ｂに形成されている。
【００５２】
図４の（ｂ）並びに図５の（ｃ）及び（ｄ）に示した時計１Ｂも、当然ながら、図１〜図３に示した時計１と同様なメリットを備え得る。
【図面の簡単な説明】
【００５３】
【図１】本発明による好ましい一実施例の時計の断面説明図。
【図２】図１の時計の見返し及び枠の取付け状態を説明するもので、（ａ）は見返しに枠を取付ける部分の拡大断面説明図、（ｂ）は機械取付板に見返しを取付ける部分の拡大断面説明図。
【図３】図１の時計の見返しの背面説明図。
【図４】図１の変形例を示したもので、（ａ）は被係合部が凹部からなる例についての図２の（ａ）と同様な部分断面説明図、（ｂ）は被係合凹部がボス部と同じ周方向位置にある例についての（ａ）と同様な部分断面説明図。
【図５】図４の例についての見返しと枠との関係を示したもので、（ａ）は図４の（ａ）の例について見返しに枠を取付けた状態を示す図４の（ａ）と同様な部分断面説明図であって（ｂ）のＶＡ−ＶＡ線断面説明図、（ｂ）は（ａ）の例についての見返しの一部の背面説明図、（ｃ）は図４の（ｂ）の例についての（ａ）と同様な部分断面説明図であって（ｄ）のＶＣ−ＶＣ線断面説明図、（ｄ）は（ｃ）の例についての（ｂ）と同様な背面説明図。
【図６】図４の（ｂ）の例についての図３と同様な背面説明図（図５の（ｄ）の全体を示したもの）。
【図７】従来の時計についての図１と同様な断面説明図。
【図８】図７の時計の枠等の取付け部分の構造及びその幅を説明するための説明図。
【符号の説明】
【００５４】
１，１Ａ，１Ｂ  時計
１１  機械取付板
１２  後枠
１３  ムーブメント
１４  文字板
１５，１６，１７  時刻表示針
１９  ネジ孔
２０，２０Ａ，２０Ｂ  見返し
２１  内周側脚部
２２，２２Ａ，２２Ｂ  外周側脚部
２３  頂壁部
２５，２５Ａ，２５Ｂ  逆Ｕ字状本体部
２６，２６Ａ，２６Ｂ  半径方向延在部
２７  最外周壁部
３０  ボス部
３１  周壁部
３２  外周側壁部
３３  雌ネジ部
３５  係合孔ないし底のない係合凹部（被係合部）
３５ａ，３７ａ，３８ａ  係止面
３７，３８  有底係合凹部（被係合部）
４０  ガラス
４１  外周縁部
５０  枠
５１  半径方向延在壁部
５３  軸線方向延在筒状部
５５  係合爪部（係合部）
５６  傾斜案内面
５７  係止面
６０  止めネジ
Ｄ  枠の前側壁部の幅
Ｗ  枠の外周から見返しの内周までの幅
【図１】
2005180990.tif 000003
【図２】
2005180990.tif 000004
【図３】
2005180990.tif 000005
【図４】
2005180990.tif 000006
【図５】
2005180990.tif 000007
【図６】
2005180990.tif 000008
【図７】
2005180990.tif 000009
【図８】
2005180990.tif 000010